(57)【要約】      （修正有）【課題】ペット処置テーブルにおいて、多種多様な状況のペットにとって好ましい天板を簡単な操作で交換可能にする。【解決手段】天板４は、その両端部の第１、第２の隆起部分１２、１４と、これの間の中央凹所２４と、中央凹所２４に載置されて脱着可能な天板ボード部材８とを含む。第１、第２の隆起部分１２、１４の内側縁の面、天板ボード部材８の第１、第２の端縁の面には、夫々、相補的な第１湾曲形状部１６、第２湾曲形状部が形成され、これらの係合によって天板ボード部材８の幅方向の変位が防止される。【選択図】図２
0003224199.tif 000002
【実用新案登録請求の範囲】
【請求項１】
脚(2)と、
該脚(2)の上端に取り付けられた天板(4)とを有するペット処置テーブル(100)において、
前記天板(4)は、
該天板(4)の両端部において、上方に向けて突出した第１、第２の隆起部分(12,14)と、
該第１、第２の隆起部分(12,14)の間に位置する中央凹所(24)と、
該中央凹所(24)と相補的な形状を有し且つ該中央凹所(24)に載置されて脱着可能な天板ボード部材(8)とを含み、
前記中央凹所(24)を規定する面と、これに向かい合う前記天板ボード部材(8)の面は、少なくともその一部に前記天板ボード部材(8)の変位を防止する互いに相補的な変位防止形状部分を有し、
前記天板ボード部材(8)は、その両側縁(8a,8b)の少なくとも一方の側縁が外部に露出しており、
前記中央凹所(24)に前記天板ボード部材(8)が接着されていないことを特徴とするペット処置テーブル(100)。
【請求項２】
前記中央凹所(24)を規定する面が前記第１、第２の隆起部分(12,14)の内側縁(12b,14b)の面であり、前記変位防止形状部分が、前記第１、第２の隆起部分(12,14)と前記天板ボード部材(8)との互いに向かい合う面に形成されている、請求項１に記載のペット処置テーブル(100)。
【請求項３】
前記天板ボード部材(8)は、その両側縁(8a,8b)が外部に露出している、請求項１又は２に記載のペット処置テーブル(100)。
【請求項４】
請求項１〜３のいずれか一項に記載のペット処置テーブル(100)から前記脚(2)を省いた前記天板ボード部材(8)を含む前記天板(4)。
【請求項５】
脚(2)と、
該脚(2)の上端に取り付けられた平面視略長方形のテーブル本体(122)と、
該テーブル本体(122)に載置される天板ボード部材(8)と、
前記テーブル本体(122)に設置される第１、第２の隆起部材(124,126)とを有し、
前記テーブル本体(122)において前記第１、第２の隆起部材(124,126)を設置する部位と、前記第１、第２の隆起部材(124,126)の底面とに、互いに凹凸嵌合する突起(130)、孔(132)が設けられ、
前記テーブル本体(122)に前記第１、第２の隆起部材(124,126)を設置することにより、これらの間に、前記天板ボード部材(8)を受け入れる中央凹所(24)が形成され、
前記第１、第２の隆起部分(124,126)の内側縁(12b,14b)の面と、これに向かい合う前記天板ボード部材の端縁(8c,8d)の面とは、少なくともその一部に前記天板ボード部材(8)の変位を防止する互いに相補的な変位防止形状部分を有し、
該変位防止形状部分によって前記中央凹所(24)に前記天板ボード部材(8)が位置決めされて接着されていないことを特徴とするペット処置テーブル(120)。
【請求項６】
請求項５のペット処置テーブル(120)から前記脚(2)を省いた且つ前記テーブル本体(122)と、前記天板ボード部材(8)と、前記第１、第２の隆起部材(124,126)との組み合わせ。
【請求項７】
平坦面の上面(42a)を備えた天板(42)と脚(44)とを備えたペット処置テーブル(40)の前記天板(42)に設置可能な天板アタッチメント(200)であって、
前記天板(42)に固定されるベース部材(202)であって、両端部に上方に向けて突出した第１、第２の隆起部分(204,206)と、これら第１、第２の隆起部分(204,206)で規定される中央凹所(208)とを有するベース部材(202)と、
該中央凹所(208)と相補的な形状を有し且つ該中央凹所(208)に載置される天板ボード部材(8)とを含み、
前記中央凹所(208)を規定する面と前記天板ボード部材(8)は、少なくともその一部に前記天板ボード部材(8)の変位を防止する互いに相補的な変位防止形状部分を有し、
前記天板ボード部材(8)は、その両側縁(8a,8b)の少なくとも一方の側縁が外部に露出しており、
前記中央凹所(208)を規定する面と前記天板ボード部材(8)とが接着されていないことを特徴とする天板アタッチメント(200)。
【請求項８】
平坦面の上面(42a)を備えた天板(42)と脚(44)とを備えたペット処置テーブル(40)の前記天板(42)に設置可能な天板アタッチメント(300)であって、
前記天板(42)に固定される第１、第２の隆起部材(302,304)と、
これら第１、第２の隆起部材(302,304)の間に形成される中央凹所(24)と相補的な形状を有し且つ該中央凹所(24)に載置される天板ボード部材(8)とを含み、
前記中央凹所(24)を規定する前記第１、第２の隆起部材(302,304)の内側縁の面と、これに向かい合う前記天板ボード部材(8)の端縁(8c,8d)の面とが、少なくともその一部に前記天板ボード部材(8)の変位を防止する互いに相補的な変位防止形状部分を有し、
前記中央凹所(24)に載置された前記天板ボード部材(8)は、その両側縁(8a,8b)が外部に露出しており、
前記天板ボード部材(8)が前記天板(42)に接着されていないことを特徴とする天板アタッチメント(300)。
【請求項９】
前記天板ボード部材(8)が３mm〜１５mmの肉厚(Th)を有する、請求項１〜５のいずれか一項に記載のペット処置テーブル。
【請求項１０】
前記天板ボード部材(8)が珪藻土系ボードで構成されている、請求項９に記載のペット処置テーブル。
【請求項１１】
前記天板ボード部材(8)が、珪藻土系ボード、凸形状の表面を備えたＰＶＣボード、ゴムボード、コルクボード、高反発ボード、低反発ボード、消臭機能を主体としたボードの中から選択された少なくとも一つのボードである、請求項９に記載のペット処置テーブル。
【請求項１２】
前記天板ボード部材(8)が３mm〜１５mmの肉厚(Th)を有する、請求項６に記載の組み合わせ。
【請求項１３】
前記天板ボード部材(8)が珪藻土系ボードで構成されている、請求項１２に記載の組み合わせ。
【請求項１４】
前記天板ボード部材(8)が、珪藻土系ボード、凸形状の表面を備えたＰＶＣボード、ゴムボード、コルクボード、高反発ボード、低反発ボード、消臭機能を主体としたボードの中から選択された少なくとも一つのボードである、請求項１２に記載の組み合わせ。
【請求項１５】
前記天板ボード部材(8)が３mm〜１５mmの肉厚(Th)を有する、請求項７又は８に記載の天板アタッチメント。
【請求項１６】
前記天板ボード部材(8)が珪藻土系ボードで構成されている、請求項１５に記載の天板アタッチメント。
【請求項１７】
前記天板ボード部材(8)が、珪藻土系ボード、凸形状の表面を備えたＰＶＣボード、ゴムボード、コルクボード、高反発ボード、低反発ボード、消臭機能を主体としたボードの中から選択された少なくとも一つのボードである、請求項１５に記載の天板アタッチメント。
【考案の詳細な説明】
【技術分野】
【０００１】
本考案はペット処置テーブル及びその天板並びに天板アタッチメントに関する。
【背景技術】
【０００２】
ペットサロンでのトリミング、動物病院での診療及び治療では施術者が立位姿勢で処置を行うのに、「トリミングテーブル」と通称されているペット処置テーブルが用いられている。
【０００３】
特許文献１はペット処置テーブルを開示している。このテーブルは脚の上に設置された天板を有し、天板の中央にペットを載せてトリミングなどが行われる。天板はハンドルを操作することで施術者に都合の良い高さを調整することができる。
【０００４】
天板は例えばアクリル系人工大理石、合成樹脂などの材質で作られ、また、上面が平らな平面で構成されていることから滑り易い。この滑り易さの防止に加えて、汚れ防止、長期に亘る使用による見た目の劣化などの対策として天板に薄いシートを敷設して使用されている。シートとして約１mmの例えばポリ塩化ビニール(PVC)が付属品として市販されている。
【先行技術文献】
【特許文献】
【０００５】
【特許文献１】意匠登録第１３８０３２４号
【考案の概要】
【考案が解決しようとする課題】
【０００６】
ペットサロン、動物病院では施術室に飼い主を招き入れ、施術者はペット処置テーブルを挟んで飼い主と会話しながら処置を行うことが多い。飼い主の目に晒されるペット処置テーブルはペットサロン、動物病院にとって飼い主の信頼を得る大事なアイテムであると言うことができる。このことから、ペット処置テーブルは常に清潔に且つ匂いを残さないように管理され、この管理の容易性を高める観点からペット処置テーブルが設計されている。
【０００７】
ペットサロンは比較的元気なペットが対象となるが、動物病院では、立ち上がれない重篤なペット、生まれて間もないペットなども対象となる。本願考案者らは、管理の容易性は勿論であるがペットにとって好ましいペット処置テーブルの有るべき姿を考察するなかで本考案を案出するに至ったものである。
【０００８】
本考案の目的は、多種多様な状況のペットにとって好ましい天板を簡単な操作で提供できるペット処置テーブル及びその天板並びに天板アタッチメントを提供することにある。
【課題を解決するための手段】
【０００９】
上記の技術的課題は、本考案によれば、典型的には、
脚(2)と、
該脚(2)の上端に取り付けられた天板(4)とを有するペット処置テーブル(100)において、
前記天板(4)は、
該天板(4)の両端部において、上方に向けて突出した第１、第２の隆起部分(12,14)と、
該第１、第２の隆起部分(12,14)の間に位置する中央凹所(24)と、
該中央凹所(24)と相補的な形状を有し且つ該中央凹所(24)に載置されて脱着可能な天板ボード部材(8)とを含み、
前記中央凹所(24)を規定する面と、これに向かい合う前記天板ボード部材(8)の面は、少なくともその一部に前記天板ボード部材(8)の変位を防止する互いに相補的な変位防止形状部分を有し、
前記天板ボード部材(8)は、その両側縁(8a,8b)の少なくとも一方の側縁が外部に露出しており、
前記中央凹所(24)に前記天板ボード部材(8)が接着されていないことを特徴とするペット処置テーブル(100)を提供することにより達成される。
【００１０】
本考案の他の観点及び作用効果は、以下の好ましい実施態様の詳しい説明から明らかになろう。
【図面の簡単な説明】
【００１１】
【図１】第１実施例のペット処置テーブルの斜視図である。
【図２】第１実施例のペット処置テーブルの分解斜視図である。
【図３】第１実施例のペット処置テーブルの天板の平面図である。
【図４】第１実施例のペット処置テーブルの天板の側面図である。
【図５】第１実施例のペット処置テーブルの天板の変形例を説明するための図であり、図３に対応する平面図である。
【図６】第１実施例のペット処置テーブルに含まれる天板ボード部材の平面図である。
【図７】図６の矢印A方向から見た天板ボード部材の側面図である。
【図８】第２実施例のペット処置テーブルの分解斜視図である。
【図９】既存のペット処置テーブルに適用可能な第１例の天板アタッチメントの分解斜視図である。
【図１０】図９の天板アタッチメントの変形例を説明するためのベース部材の変形例の平面図である。
【図１１】図１０のＸ−Ｘ線に沿った断面図である。
【図１２】既存のペット処置テーブルに適用可能な第２例の天板アタッチメントの分解斜視図である。
【考案を実施するための形態】
【実施例】
【００１２】
以下に、添付の図面に基づいて本考案の好ましい実施例を説明する。
【００１３】
第１実施例のテーブル（図１〜図７）：
図１、図２は第１実施例のペット処置テーブルを示す。図１はペット処置テーブル１００の斜視図である。図２はテーブル１００の分解斜視図である。ペット処置テーブル１００は脚２と天板４とを有し、好ましくは更にハンドル６を有し、このハンドル６を操作することにより天板４の高さ位置を調整することができる。天板４は、脚２の上端の固定部（図示せず）に複数のボルト（図示せず）によって脱着可能である。天板４は、その中央部分に脱着可能な天板ボード部材８を含み、天板ボード部材８は接着されていない。なお、天板４は、人工大理石、化粧合板、天然木の無垢板などの材質から作られるのがよい。
【００１４】
図３、図４は天板４の構造を説明するための図である。図３は天板４の平面図である。図４は天板４の側面図である。なお、図４は脚２の図示を省いてある。天板４は、平面視略長方形の形状を有している。天板４は、長手方向両端部に上方に向けて突出した第１、第２の隆起部分１２、１４を備え、この第１、第２の隆起部分１２、１４は中央凹所２４を規定している。中央凹所２４の幅方向の各端に位置する両側縁２４a、２４bは外方に向けて開放している。また、中央凹所２４の上面２４cは好ましくは平らな平面で構成されている。
【００１５】
第１、第２の隆起部分１２、１４は好ましくは基本形状が同じであるのがよく、天板４の長手方向両端の外側縁１２a、１４aを規定しており、これに対抗する内側縁１２b、１４bは中央凹所２４の長手方向端縁の形状を規定している。第１、第２の隆起部分１２、１４の内側縁１２b、１４bは、その一端部と他端部が端に向かうに従って天板４の中央に接近する湾曲した形状を有している。この湾曲した形状部を参照符号１６で示す。そして、各隆起部分１２（１４）の２つの第１湾曲形状部１６の間は幅方向に真っ直ぐに延びる第１直線部で構成されている。この第１直線形状部を参照符号１８で示す。
【００１６】
図５は天板４の変形例を説明するための図であり、図３に対応した平面図である。天板４は、第１、第２の隆起部分１２、１４の少なくとも一方に凹所からなるトレー２６を有していてもよい。
【００１７】
図６、図７は天板ボード部材８を示す。図６は天板ボード部材８の平面図である。図７は図６の矢印Ａから見た天板ボード部材８の側面図である。天板ボード部材８は、上述した中央凹所２４と相補的な外形形状を有している。すなわち、天板ボード部材８は、幅方向の各端に位置する第１、第２の側縁８a、８bと、長手方向の各端に位置する第１、第２の端縁８c、８dとを有している。各側縁８a（８b）が中央凹所２４の幅方向各側縁２４a（２４b）に対応し、各端縁８c（８d）が隆起部分１２（１４）の各内側縁１２b（１４b）に対応している。そして、天板ボード部材８の両端縁８c、８dは、その一端部と他端部に第２湾曲形状部３０を有し、この第２湾曲形状部３０は、前述した両隆起部分１２、１４の第１湾曲形状部１６（図３）と相補的な形状を有している。そして、２つの第２湾曲形状部３０の間は真っ直ぐな第２直線形状部３２で構成され、この第２直線形状部３２は、前述した両隆起部分１２、１４の第１直線形状部１８（図３）に対応している。
【００１８】
第１、第２の隆起部分１２、１４と、その間に載置される天板ボード部材８との関係において、第１、第２の隆起部分１２、１４の内側縁１２b、１４b（図３）の面と、天板ボード部材８の第１、第２の端縁８c、８d（図６）の面とが互いに向かい合っている。第１、第２の隆起部分１２、１４の第１湾曲形状部１６と、天板ボード部材８の第２湾曲形状部３０とは、互いに向かい合った面の一部を構成するものである。そして、第１湾曲形状部１６と第２湾曲形状部３０の互いに相補的な形状部分が互いに係合することにより、中央凹所２４に載置され且つ接着されていない天板ボード部材８が幅方向に変位するのを防止できる。また、天板ボード部材８を第１、第２の隆起部分１２、１４によって挟み込むことにより、天板ボード部材８が長手方向に変位するのを防止できる。そして、天板ボード部材８の側縁８a及び／又は８bにアクセスして天板ボード部材８を持ち上げることで天板ボード部材８を取り外すことができる。
【００１９】
変形例として、第１、第２の隆起部分１２、１４の内側縁１２b、１４b（図３）の面の全域と、天板ボード部材８の第１、第２の端縁８c、８d（図６）の面の全域を、例えば相補的な波形の形状に形作って、これによって天板ボード部材８の変位防止形状部分を構成してもよい。
【００２０】
天板ボード部材８の肉厚Ｔh（図７）は、３mm〜１５mm、好ましくは５mm〜１２mmであるのがよく、この実施例では９mmである。天板ボード部材８の上面が第１、第２隆起部分１２、１４の上面と面一になるように、天板ボード部材８の厚みＴhを設定するのがよい。すなわち、天板ボード部材８と第１、第２隆起部分１２、１４との間に段部ができないように天板ボード部材８の上面と第１、第２隆起部分１２、１４の上面とが同じ高さレベルに位置するように設計するのが好ましい。変形例として、天板ボード部材８の上面と第１、第２隆起部分１２、１４の上面との間に高低差があってもよい。
【００２１】
天板ボード部材８の材質は任意である。天板ボード部材８の材質を例示的に列挙すれば次の通りである。
（１）珪藻土系ボード；
珪藻土系ボードは例えばバーミキュライトなどの粘土鉱物を含み消臭、滑り止め、抗菌などに優れている。
（２）ＰＶＣボードであって、好ましくは凹凸形状の表面を備えたＰＶＣボード；
（３）ゴムボード、好ましくはシリコンゴムボード；
（４）コルクボード；
（５）クッション性を備えたボード；
（６）高反発ボード；
（７）低反発ボード；
（８）消臭機能を主体としたボード。
【００２２】
天板ボード部材８は実施例では一枚のボードで構成されているが、これを左右２分割など複数のボード部材で構成してもよい。
【００２３】
ペット処置テーブル１００は、複数の天板ボード部材８を用意し、好ましくは複数の種類の異なる天板ボード部材８を用意することで、処置対象のペットの種類、ペットの容体などに応じてこれに適した天板ボード部材８に簡単な操作で交換することができる。特に、中央凹所２４に装着した天板ボード部材８は、中央凹所２４を規定する全ての面に対して接着されておらず、その幅方向両側縁８a、８b（図６）が外部に露出しているため、ユーザはこの両側縁８a、８bにアクセスして天板ボード部材８を持ち上げるだけで簡単に取り外すことができる。
【００２４】
第２実施例のテーブル（図８）：
図８は第２実施例のペット処置テーブル１２０の斜視図である。ペット処置テーブル１２０は、脚２の上端に固定されたテーブル本体１２２と、上述した天板ボード部材８と、左右の隆起部材１２４、１２６とを含んでいる。左右の隆起部材１２４、１２６は第１実施例の第１、第２の隆起部分１２、１４に相当することからその詳しい説明を省略する。
【００２５】
テーブル本体１２２は平らな略長方形の上面を有し、その長手方向の両端部に複数の突起１３０を備えている。他方、左右の隆起部材１２４、１２６の底面には、突起１３０を受け入れる孔１３２が形成されている。突起１３０と孔１３２は凹凸嵌合によって左右の隆起部材１２４、１２６を所定位置に位置決めし且つ固定する機能を有している。テーブル本体１２２に左右の隆起部材１２４、１２６を固定することにより、この左右の隆起部材１２４、１２６の間に上述した中央凹所２４（図３、図４）を形成することができる。
【００２６】
突起１３０、孔１３２は相対的な要素であり、変形例として、突起１３０を左右の隆起部材１２４、１２６に設け、これを受け入れる孔１３２をテーブル本体１２２に設けてもよい。
【００２７】
第３実施例（図９〜図１１）：
図９を参照して、第３実施例は、既存のペット処置テーブル４０に設置可能な第１例の天板アタッチメント２００である。既存のペット処置テーブル４０は、天板４２、脚４４、好ましくはハンドル４６を備えている点で上記第１実施例のテーブル１００と同じである。既存のテーブル４０の天板４２はその上面４２aが平坦面で構成されている。
【００２８】
天板アタッチメント２００は、ベース部材２０２と、上述した天板ボード部材８とで構成されている。ベース部材２０２は、上述した天板４（図１、図２）と同じ構成を有している。すなわち、ベース部材２０２は、第１、第２の隆起部分２０４、２０６を有し、また、これら第１、第２の隆起部分２０４、２０６で規定される中央凹所２０８を有している点で上述の天板４と同じである。ここに、ベース部材２０２は平らな面で構成された底面２１０を有している。ベース部材２０２は、人工大理石、化粧合板、天然木の無垢板などの材質から作られるのがよい。
【００２９】
ベース部材２０２の第１、第２の隆起部分２０４、２０６及び中央凹所２０８は上述した天板４の第１、第２の隆起部分１２、１４及び中央凹所２４に夫々相当していることから、その詳しい説明は省略する。
【００３０】
天板アタッチメント２００は、ベース部材２０２が既存のペット処置テーブル４０の天板４２の上に定置される。ベース部材２０２は両面接着テープ又は粘着シート又は面ファスナを使って天板４２に固定するのが好ましく、別途用意したクランプ部材（図示せず）によってベース部材２０２を天板４２に固定してもよい。また、天板４２に滑り難いシート（図示せず）を固定し、この滑り止めシートの上にベース部材２０２を載置してもよい。
【００３１】
この天板アタッチメント２００によれば、既存のペット処置テーブル４０をそのまま使って天板ボード部材８を随時交換する自在性を提供することができる。
【００３２】
図１０、図１１は、ベース部材２０２の変形例を説明するための図である。図１０は変形例のベース部材２２２の平面図である。図１１は、図１０のＸ−Ｘ線に沿った断面図である。変形例のベース部材２２２は、中央凹所２０８の底面２０８aに複数の貫通孔２１２を有している。これに対応して図示を省略したが天板ボード部材８には、その底面に上記貫通孔２１２に対応した好ましくは相補的な形状の凸部が形成され、この凸部と貫通孔２１２との凹凸嵌合によって天板ボード部材８の位置決め及び変位が防止される。
【００３３】
すなわち、中央凹所２０８に載置された天板ボード部材８は、その底面が中央凹所２０８の底面２０８aと向かい合っている。この互いに向かい合った面に位置する天板ボード部材８の凸部及びこれを受け入れる貫通孔２１２からなる相補的な形状部分が互いに係合することにより、中央凹所２０８に載置され且つ接着されていない天板ボード部材８が幅方向に変位するのを防止できる。また、天板ボード部材８を第１、第２の隆起部分２０４、２０６によって挟み込むことにより、天板ボード部材８が長手方向に変位するのを防止できる。そして、天板ボード部材８の側縁８a及び／又は８bにアクセスして天板ボード部材８を持ち上げることで天板ボード部材８を取り外すことができる。
【００３４】
上記凹凸嵌合の構成は、前述した第１実施例に含まれる天板４及びこれに設置可能な天板ボード部材８に適用可能であるのは言うまでもない。
【００３５】
第４実施例（図１２）：
図１２を参照して、第４実施例は、既存のペット処置テーブル４０に設置可能な第２例の天板アタッチメント３００である。天板アタッチメント３００は、第１、第２の隆起部材３０２、３０４と、上述した天板ボード部材８とで構成されている。第１、第２の隆起部材３０２、３０４は、上述した天板４の第１、第２の隆起部分１２、１４（図１、図２）と同じ構成を有している。第１、第２の隆起部材３０２、３０４は、人工大理石、化粧合板、天然木の無垢板などの材質から作られるのがよい。
【００３６】
第２例の天板アタッチメント３００は、第１、第２の隆起部材３０２、３０４が既存のペット処置テーブル４０の天板４２の長手方向両端部に定置され且つ固定される。両面接着テープ又は粘着シート又は面ファスナを使って第１、第２の隆起部材３０２、３０４を天板４２に固定するのが好ましく、別途用意したクランプ部材（図示せず）によって第１、第２の隆起部材３０２、３０４を天板４２に固定してもよい。また、天板４２に滑り難いシート（図示せず）を固定し、この滑り止めシートの上に第１、第２の隆起部材３０２、３０４を載置してもよい。
【００３７】
既存のペット処置テーブル４０の天板４２に第１、第２の隆起部材３０２、３０４を固定することで、第１、第２の隆起部材３０２、３０４の間に天板ボード部材８を受け入れる上記の中央凹所２４（図１、図２）を形成することができる。
【００３８】
この天板アタッチメント３００では、天板ボード部材８の両側縁８a、８bが外部に露出している。また、天板ボード部材８は天板４２に載置されており、接着されていない。
【００３９】
以上、本考案の好ましい実施例を説明したが、本考案はこれに限定されない。例えば第１実施例（図１、図２）で説明すれば、第１、第２の隆起部分１２、１４は、天板ボード部材８を収容する中央凹所２４を形成する第１機能と、中央凹所２４に収容した天板ボード部材８の第１、第２側縁８a、８bを外部に露出させる第２機能と、中央凹所２４に載置された天板ボード部材８が変位するのを阻止する第３機能とを有している。
【００４０】
本考案は次の変形例を第１実施例（図１、図２）を例示的に用いて説明する。
（１）上記第２機能に関し、天板ボード部材８の幅方向第１、第２側縁８a、８bのいずれか一方だけを外部に露出させるようにしてもよい。すなわち、第１、第２の隆起部分１２、１４の一端同士を連結する連結部分を設け、他端は外部に開放していてもよい。
（２）上記第３機能は、天板ボード部材８の長手方向の変位を防止する機能と幅方向の変位を防止する機能を含む。天板ボード部材８の長手方向の変位は、天板ボード部材８を挟み込むように位置する第１、第２の隆起部分１２、１４によって防止できる。天板ボード部材８の幅方向の変位は、第１実施例（図１、図２）では各隆起部分１２、１４の第１湾曲形状部１６と、天板ボード部材８の第２湾曲形状部３０との係合、つまり、各隆起部分１２、１４と天板ボード部材８との互いに向かい合う面の相補的な形状部分によって阻止している。他方、第３実施例（図１０、図１１）では、中央凹所２０８の底面２０８a及びこれと向かい合う天板ボード部材８の底面に、貫通孔２１２、凹凸嵌合する突起という相補的な形状部分によって天板ボード部材８の変位を防止している。２つの隆起部分と天板ボード部材との互いに向かい合う面の変位防止形状部分及び天板ボード部材の底面とこれに向かい合う中央凹所の底面とに変形防止形状部分とを組み合わせて採用してもよい。
【００４１】
本考案は次の態様で市場に提供できる。
（１）第１実施例の態様つまり天板ボード部材８を含むペット処置テーブル１００（図１、図２など）。
（２）第１実施例の態様から脚２を省いた態様つまり天板ボード部材８を含む天板４。この天板４をユーザに提供することにより、既存のペット処置テーブル４０の天板４２を交換することで、天板ボード部材８を自在に且つ容易に交換可能なペット処置テーブルに変身させることができる。
（３）第２実施例の態様のペット処置テーブル１２０（図８）。
（４）第２実施例の態様から脚２を省いた態様つまりテーブル本体(122)と、天板ボード部材(8)と、第１、第２の隆起部材(124,126)との組み合わせ。
（５）既存のテーブル４０の天板４２をそのまま使う第１例の天板アタッチメント２００（図９）。
（６）既存のテーブル４０の天板４２をそのまま使う第２例の天板アタッチメント３００（図１２）。
【符号の説明】
【００４２】
１００  第１実施例のペット処置テーブル
２  第１実施例のペット処置テーブルの脚
４  第１実施例のペット処置テーブルの天板
８  天板ボード部材
８a  天板ボード部材の幅方向端の第１側縁
８ｂ  天板ボード部材の幅方向端の第２側縁
８ｃ  天板ボード部材の長手方向端の第１端縁
８ｄ  天板ボード部材の長手方向端の第２端縁
１２  第１隆起部分
１２b  第１隆起部分の内側縁
１４  第２隆起部分
１４b  第２隆起部分の内側縁
１６  各隆起部分の第１湾曲形状部(変位防止形状部分)
２４  中央凹所
２６  トレー
３０  天板ボード部材の第２湾曲形状部(変位防止形状部分)
４０  既存のペット処置テーブル
１２０  第２実施例のペット処置テーブル
１２２  テーブル本体
１２４  第１の隆起部材
１２６  第２の隆起部材
１３０  突起
１３２  突起と凹凸嵌合する孔
２００  第１例の天板アタッチメント
２０２  第１例の天板アタッチメントのベース部材
２０４  ベース部材の第１隆起部分
２０６  ベース部材の第２隆起部分
２０８  ベース部材の中央凹所
３００  第２例の天板アタッチメント
３０２  第２例の天板アタッチメントの第１隆起部材
３０４  第２例の天板アタッチメントの第２隆起部材
【図１】
0003224199.tif 000003
【図２】
0003224199.tif 000004
【図３】
0003224199.tif 000005
【図４】
0003224199.tif 000006
【図５】
0003224199.tif 000007
【図６】
0003224199.tif 000008
【図７】
0003224199.tif 000009
【図８】
0003224199.tif 000010
【図９】
0003224199.tif 000011
【図１０】
0003224199.tif 000012
【図１１】
0003224199.tif 000013
【図１２】
0003224199.tif 000014
【手続補正書】
【提出日】令和1年9月24日(2019.9.24)
【手続補正１】
【補正対象書類名】実用新案登録請求の範囲
【補正対象項目名】請求項９
【補正方法】変更
【補正の内容】
【請求項９】
前記天板ボード部材(8)が３mm〜１５mmの肉厚(Th)を有する、請求項１〜３，５のいずれか一項に記載のペット処置テーブル。